(57)【要約】【課題】開閉器に所定の機械的インタロック機構を設けるだけで、この開閉器を収納する開閉器収納部に固定枠および特別なストッパを設ける必要のない開閉装置を提供する。【解決手段】開閉器１の開閉操作機構５の動作に連動する機械的インタロック機構において、ロック部１４を３個の関節部と２本のロッドで構成し、インタロックをオンにするときはロック部１４をＶ字型に突出させて誤挿入、誤引き出しを防止し、オフにするときには直線状に復帰させて挿入、引き出しを可能とする。【選択図】図３
2010021092.tif 000002
【特許請求の範囲】
【請求項１】
母線に接続される母線側導体と、
負荷に接続される負荷側導体と、
前記導体間に配設されて両者間の電気的な開閉機能を司る電流遮断部と、
前記電流遮断部の可動側導体を開閉させるための開閉操作機構と、
前記電流遮断部の可動側導体と前記開閉操作機構とを電気的に絶縁するための絶縁ロッドと、
前記電流遮断部の可動側導体に電流通電のため荷重を加えるためのばねと、
前記母線側導体、前記負荷側導体、前記電流遮断部、前記開閉操作機構、前記絶縁ロッド、及び前記ばねを電気的に絶縁しながら支持するための絶縁フレームと、
前記絶縁フレームに支持され前記開閉操作機構に連動する機械的インタロック機構と、
を有する開閉器、
並びに、前記開閉器が挿入される開口部を有する開閉器収納部、
を備えた開閉装置において、
前記機械的インタロック機構は、前記電流遮断部が閉じている時は前記開閉器の一端面から挿入方向に直交する方向に突出し、前記開口部の縁に衝突することにより、前記開閉器の前記開閉器収納部への挿入を阻止するロック部を備えたことを特徴とする開閉装置。
【請求項２】
前記開閉器収納部は、前記開閉器が収納された状態で、前記ロック部の移動を規制する部材を備えていることを特徴とする請求項１に記載の開閉装置。
【請求項３】
前記機械的インタロック機構は、前記開閉操作機構の閉極操作および開極操作に連動して前記絶縁フレームに沿って前進および後退するロックアームと、２本のロッドの端部を屈折可能に連結した連結体の一端が前記ロックアームの先端に、他端が前記絶縁フレームの端部にそれぞれ回動可能に固定されてなり、前記ロックアームの前進に伴い前記連結体がＶ字型に突出するロック部を備えた請求項１又は請求項２に記載の開閉装置。
【請求項４】
前記ロック部は中間点に設けた支点を中心として回転するL型のアームで構成され、前記開閉操作機構の閉極操作に伴い、前記支点を中心に回転して、前記開閉器の前記開閉器収納部への挿入方向に直交する方向に上記アームの一端が突出するものである請求項１又は請求項２に記載の開閉装置。
【請求項５】
前記機械的インタロック機構は前記電流遮断部と連動するロックアームを備え、
前記ロック部は、ばねと、このばねの伸縮に伴い前記開閉器の挿入方向に直交する方向に移動するロック棒を備え、
前記電流遮断部が閉じている時には、前記ロックアームが前記ロック棒と隔離し、前記電流遮断部が開いている時には前記ロックアームが前記ロック棒を押圧して前記ばねを縮めて前記開閉器の挿入を可能ならしめることを特徴とする請求項１又は請求項２に記載の開閉装置。
【請求項６】
前記開閉装置の前記開口部を経由して前記開閉器収納部への開閉器の出し入れの際、前記出し入れが完了するまで前記ロック部が突出しないよう規制するロックガイドを開閉器収納部に設けたことを特徴とする請求項３又は請求項４に記載の開閉装置。
【請求項７】
母線に接続される前記導体と、負荷に接続される前記導体に接触子を設けたことを特徴とする請求項１乃至請求項６のいずれか１項に記載の開閉装置。
【請求項８】
前記絶縁フレームをＵ字形状としたことを特徴とする請求項１乃至請求項７のいずれか１項に記載の開閉装置。
【発明の詳細な説明】
【技術分野】
【０００１】
この発明は、引き出し可能な開閉器及びこれを収納する収納部を備えた開閉装置に関するものである。
【背景技術】
【０００２】
開閉器の主回路への挿入及び引出が可能な従来の開閉装置は、電極が閉じた状態で開閉器を挿入すると負荷側での感電事故や接触子の溶着を引き起こすので、これを防止するために、例えば特許文献１に記載の発明のように開閉器が開極していないと、この開閉器を開閉装置の主回路部へ挿入できないという機械的インタロック機構を有している。この文献における開閉器は三相が一体となった構造である。ここで、機械的インタロック機構は開閉器側面に取り付けられた構造物であり、開閉器収納用の固定枠に取り付けたストッパとこの構造物とが干渉することで全体としてインタロック機構を構成している。
【０００３】
【特許文献１】特開平７−２２７０１６号公報  段落００１９  図２  図３
【発明の開示】
【発明が解決しようとする課題】
【０００４】
特許文献１に記載されている開閉器の機械的インタロック機構は、開閉器側に電極の開閉に連動するロック棒が設置され、開閉装置側に設置された固定枠に前記ロック棒と干渉するストッパが設けられ、誤挿入時（すなわち閉状態での開閉器の開閉装置への挿入時）はロック棒がストッパに衝突することにより開閉装置への開閉器の挿入を阻止する構造になっている。
このような構造の場合、開閉器の大きさ、構造が変われば、それぞれ別の規格のストッパ付きの枠を設けなければならないという問題があった。また、同じ開閉器でも設置の向きを変えればそれぞれを収納する枠に新たなストッパを別途設ける必要があり、設置環境の自由度が低いという問題があった。
【０００５】
この発明は、上記のような問題点を解決するためになされたものであり、開閉器に所定の機械的インタロック機構を設けるだけで、この開閉器を収納する開閉器収納部に固定枠および特別なストッパを設ける必要のない開閉装置を提供することを目的としている。
【課題を解決するための手段】
【０００６】
この発明に係る開閉装置は、
母線に接続される母線側導体と、
負荷に接続される負荷側導体と、
導体間に配設されて両者間の電気的な開閉機能を司る電流遮断部と、
電流遮断部の可動側導体を開閉させるための開閉操作機構と、
電流遮断部の可動側導体と開閉操作機構とを電気的に絶縁するための絶縁ロッドと、
電流遮断部の可動側導体に電流通電のため荷重を加えるためのばねと、
母線側導体、負荷側導体、電流遮断部、開閉操作機構、絶縁ロッド、及びばねを電気的に絶縁しながら支持するための絶縁フレームと、
絶縁フレームに支持され開閉操作機構に連動する機械的インタロック機構と、
を有する開閉器、
並びに、開閉器が挿入される開口部を有する開閉器収納部、
を備えた開閉装置において、
機械的インタロック機構は、電流遮断部が閉じている時は開閉器の一端面から挿入方向に直交する方向に突出し、開口部の縁に衝突することにより、開閉器の開閉器収納部への挿入を阻止するロック部を備えたものである。
【発明の効果】
【０００７】
この発明に係る開閉装置は、開閉器の電極の開閉状態に合わせてロック部が、挿入・引き出し方向に直交する方向に突出するとともに、開閉装置の開口部の縁がストッパの役割を果たすので、特別なストッパを別途用意して開閉装置に取り付ける必要がない。したがって、インタロック機構をシンプルに構成できるという効果がある。
また、ロック部は、挿入・引き出し方向に直交する方向に突出するので、開閉装置の開口部の上下左右の縁のどの場所でもストッパとして利用することができるという効果がある。
また、開閉器を開閉装置に対して縦方向にも横方向にも奥行き方向にも収納することができるので、設置環境の自由度が高いインタロック機構付きの開閉装置を安価に提供できるという効果がある。
【発明を実施するための最良の形態】
【０００８】
実施の形態１．
図に基づいてこの発明の実施の形態１に係る開閉器１およびこれを収納して構成される開閉装置３１を以下に説明する。
図１は開閉装置３１の側断面図である。開閉装置３１は、装置全体を収納するケース４０と、各開閉器１を収納する開閉器収納部４１と、開閉装置３１の外部から導入され、各開閉器１に接続される母線３２と、各開閉器１に接続される負荷側導線３３とで構成される。
開閉器収納部４１はケース４０内に縦方向に並べてあり、開閉器１をケース４０の前面図示左側から開閉器収納部４１の開口部３０を通して挿入、引き出しできる構造となっている。なお、開閉器１をケース４０内の横方向に並べる構造でも良い。
図２（ａ）は本発明の実施の形態１による開閉器１を示す側断面図であり、図２（ｂ）は正面図であって、機械的インタロック機構を取り付ける前の状態を示す。この開閉器１は、母線３２に接続される母線側導体２と、負荷側導線３３に接続される負荷側導体３と、母線側導体２および負荷側導体３の間に配設され、両者間の電気的な開閉機能を司る電流遮断部４と、電流遮断部４の可動側導体９を駆動させるための開閉操作機構５と、電流遮断部４の可動側導体９と開閉操作機構５とを電気的に絶縁するための絶縁ロッド６と、電流遮断部４の可動側導体９に電流通電のため荷重をかけるためのばね７と、母線側導体２および負荷側導体３と電流遮断部４と開閉操作機構５と絶縁ロッド６とばね７とを電気的に絶縁しながら支持するための絶縁フレーム８で構成される。
電流遮断部４は真空スイッチ管である。また開閉操作機構５は、電磁コイルに電流を通電することにより駆動される。母線側導体２および負荷側導体３は、金具１０を介して絶縁フレーム８に固定され、開閉操作機構５はＬ字フレーム１１を介して絶縁フレーム８に固定される。これで１相分の独立した開閉器１を構成している。
開閉器１は、この簡潔な構造で、開閉器に要求される所定の電気的および機械的要求を満たす。開閉操作機構５はリンク機構を介することなく電流遮断部４に直結して操作する単純な直線駆動となっている。この開閉器１を単純な開口部３０もしくはガイドを設けた開閉器収納部４１に挿入し、主回路に接続して使用する。
【０００９】
次に機械的インタロック機構を説明する。
図３、図４は、本実施の形態にかかる開閉器１及び開閉器収納部４１の開口部近傍を示している。両図とも開閉装置３１の開閉器収納部４１の開口部３０に加えて安全装置としての機械的インタロック機構をその構成品として取り付けた開閉器１を示しており、図３は電流遮断部４が閉極状態、図４は電流遮断部４が開極状態である場合を示している。取り付け金具類は省略している。
図３は、開閉装置３１から開閉器１を引き出した状態で、開閉装置３１に設けられた開口部３０の右側が開閉装置３１内部、左が外部となる。
機械的インタロック機構は、開閉操作機構５の端部に連結された連結部品１２と、連結部品１２に接続され、絶縁フレーム８に沿って配設されたロックアーム１３と、ロックアーム１３に連結され、開閉操作機構５の動作に連動して突出、又は突出を解除するロック部１４とで構成されている。
なお、この明細書中で使用する「インタロック機構」とは、開閉器に付属した上述の機械的インタロック機構と、開閉装置開口部縁とで構成される。具体的には機械的インタロック機構と、開口部縁との干渉によって開閉器１の開閉装置３１への挿入及び引き出しを規制し、或いは規制を解除する機構をいう。また、機械的インタロック機構の機能としてのオン、オフを言う場合には単に「インタロック」の用語を使用する。
機械的インタロック機構の細部を説明する。
ロック部１４は、図４に示すように２本のロッド１４４、１４５と○印で示した関節部１４１、１４２、１４３で構成され、関節部で折れ曲がる仕様となっている。図右端の関節部１４３は絶縁フレーム８に固定されている。そして、ロッド１４５はこの関節部１４３を中心として回動可能である。中間の関節部１４２はロッド１４４の一端とロッド１４５の一端とを回動可能に接続する以外はどこにも固定されていない。関節部１４１はロックアーム１３の一端とロッド１４４の一端とを回動可能に接続すると共に、絶縁フレーム８上を、図３左右方向に摺動可能に取り付けられている。これによってロックアーム１３が図４の状態から右に動くと、連動してロック部１４が図３に示すようにＶ字型となって下に突出し、インタロックがオンになる。
反対に、ロックアーム１３が図３の状態から左に動くとロック部１４は、ほぼ直線状態になってインタロックがオフになる。
図４に示すようにロック部１４はインタロックがオフの状態でも完全に水平に伸びきることはなく、僅かに下側に曲がった状態(すなわち関節部１４２は関節部１４３よりも絶縁フレームから離れた位置)で静止する。この配置は、その後にインタロックをオンにする時に関節部１４１、１４２、１４３の動作を円滑にするためのものである。
ロックアーム１３は高電圧充電部(母線側導体２、負荷側導体３、電流遮断部４)に近いため、連結部品１２との間で所定の絶縁を保持する必要がある。そこで、ロックアーム１３を絶縁物で構成することで絶縁を保持している。ここでは、ロックアーム１３を絶縁物で構成したが、連結部品１２を絶縁物にすることによって絶縁を保持しても良い。
【００１０】
次に、開閉器１を開閉装置３１の開閉器収納部４１へ挿入及び引き出しする方法について説明する。
図３の開閉器１は閉極状態であり、開閉装置３１の開閉器収納部４１へ挿入する前の状態である。この時、開閉操作機構５の動作に連動するインタロックがオンの状態となっている。開口部３０からこの開閉器１を右方向横向きにスライドして開閉装置３１の開閉器収納部４１内（開口部３０の右側）へ挿入しようとすると、ロック部１４が開口部３０の縁に突き当たり挿入できない。電極が閉じた状態で開閉器１を配電盤に誤挿入すると感電事故や接触子の溶着が起こる可能性があるが、インタロック機構によってこれを防止できる。
図４のように開閉操作機構５によって電極を開いてインタロックをオフとし、その後開閉器１を開閉装置３１の開閉器収納部４１内の所定の位置まで挿入した後に開閉器１の電極を閉じると、図５のように、開閉器収納部４１内に設けたロック受け２５内でロック部１４が突出して干渉する。
すなわち、ロック受け２５は図示しないが開閉装置３１のケース４０に固定されていて、ロック部１４が真っ直ぐに伸びた状態ではロック受け２５の端部を通過できるが、ロック部１４がＶ字型に突出している状態では通過できない。
これによって、開閉器１の電極が閉じている状態では開閉器１を開閉装置３１の外部に引き出せなくなる。引き出すときは開閉器１を開極してインタロックをオフし、引き出せばよい。
【００１１】
以上のように、この実施の形態１による開閉装置３１では、開閉器１の電極の開閉状態に合わせてロック部１４が、挿入・引き出し方向に直交する方向に突出するとともに、開閉装置３１の開口部３０の縁がストッパの役割を果たすので、特別なストッパを別途用意して開閉装置３１に取り付ける必要がない。したがって、インタロック機構をシンプルに構成できる。
また、ロック部１４は、挿入・引き出し方向に直交する方向に突出するので、開閉装置３１の開口部３０の上下左右の縁のどの場所でもストッパとして利用することができる。つまり、図３に示す開閉器１の長手方向、中心線（１点鎖線で図示）を回転軸として、９０度、１８０度、２７０度回転させた状態で収納する構造としてもインタロック機構はいずれかの開口部３０の縁をストッパとして構成できる。
また、開閉器１を開閉装置３１の縦方向にも横方向にも奥行き方向にも収納することができるので、設置環境の自由度が高いインタロック機構付きの開閉装置３１を安価に提供できる。
また、挿入後に干渉するロック受け２５を設けることで、開閉器１の電極が閉じている状態で誤って開閉器１を開閉装置３１から取り出す誤操作を防止できる。
また、開閉器１の主要な構成である電流遮断部４、開閉操作機構５、絶縁ロッド６、ばね７、母線側導体２、負荷側導体３を絶縁フレーム８の片側に固定し、絶縁フレーム８の反対側に機械的インタロック機構を配置したので、機械的インタロック機構が電流遮断部４の可動導体９から操作機構５までの可動部に干渉することなく、また、母線側導体２、負荷側導体３間（すなわち電流遮断部の両端）および負荷側導体３と操作機構５間の絶縁に影響を与えることなく、また開閉器１の外形寸法を大幅に拡大することなく構成できる。
【００１２】
実施の形態２．
図６は本発明の実施の形態２による開閉器１０１のうち閉極状態の開閉器１０１および開閉器収納部４１の開口部３０近傍を示し、インタロックはオンの状態である。図７は開極状態の開閉器１０１および開閉器収納部４１の開口部３０近傍を示し、インタロックがオフの状態である。
また、図８（ａ）、８（ｂ）はロック部１１４の斜視図及び側断面図である。
機械的インタロック機構を除く開閉器１０１の構造は実施の形態１の開閉器１と同じであるので共通部分は同一符号を用いて説明する。
図６、図７、図８（ａ）、（ｂ）において、機械的インタロック機構は、開閉操作機構５の端部に一端を連結された連結部品１１２と、連結部品１１２の他端に接続され、絶縁フレーム８に沿って配設されたロックアーム１１３と、ロックアーム１１３の左右の動作を上下の動きに変換するロック棒１７を主要構成要素とするロック部１１４とで構成される。
連結部品１１２は、開閉操作機構５の動作から独立して絶縁フレーム８に固定された金具１６の支持軸１５によって図６●印で示した点を支持されている。また連結部品１１２には支持軸１５が摺動できるよう、図示しないが●印近傍長手方向に細長い穴を開けてある。この穴は開閉操作機構５の端部が左右に直線運動できるよう「遊び」を確保するためのものである。この「遊び」は開閉操作機構５と連結部品１２の接続点の○部分に設けても良い。
穴に遊びがあるので、開閉操作機構５の動作に連動して、連結部品１１２は●印を中心に摺動しながら回動することができる。これにより、ロックアーム１１３は開閉操作機構５の動作方向と正反対の動きをする。
図８はロック部１１４の斜視図である。
ロック部１１４は、絶縁フレーム８の端部に固定した金具２０に開けた穴４６を通して支持されたシャフト４５の周囲にばね１８を巻回し、シャフト４５の下端に、切り欠き部１７１を有するロック棒１７を取り付けて構成されている。
図８（ａ）に示すようにロック棒１７は４角柱の一部を斜めに切り欠いた形状をしている。切り欠き部１７１は、図６ではロック棒１７の左側面に設けられていることになる。図８（ｂ）はロック棒１７の側面図である。図８（ｂ）の破線はロック棒１７の正面に設けた切り欠き部の断面を示している。なお、図示しないが、シャフト４５の上端にはシャフトが抜け落ちないよう支持する部材が取り付けてある。
図６では、開閉器１０１は閉極状態であるため、ロックアーム１１３は図の左方向へ引かれており、ロック棒１７は、ばね１８の上下に伸びる力によって下方向に突出している。
一方、図７は開閉器１０１が開極した状態を示す。開閉操作機構５が開閉器１０１の電極を開くと、支持軸１５を支点として連結部品１１２の下端は右方向に動き、連結部品１１２に連結されているロックアーム１１３も図の右方向へ押される。ロックアーム１１３の先端がロック棒１７の切り欠き部１７１を図の左から右へ押し込むとロック棒１７に取り付けたばね１８が縮んでロック棒１７が上方へ持ち上がりインタロックがオフの状態となる。
取り付け金具２０に所定の厚みを持たせることでシャフト４５は上下の移動しかできないからである。
ロックアーム１１３の先端は図６のように切り欠いていなくても構わない。
しかし、先端の上端を斜めに切り欠き、ロック棒１７の切り欠き部１７１の表面と、ロックアーム１１３の先端の切り欠き部の表面を互いに平行に近づけ、ロックアーム１１３の先端がロック棒１７の切り欠き部１１７を真横から押圧するようにすると、スムーズにロック棒１７を上方へ押し上げることができる。
図８（ａ）に示すように、ロック棒１７の両端部は切り欠かずに残している。ロック棒１７の全体を斜めに切り欠くと、開閉器１０１の電極が閉じている状態で開閉器１０１を開閉器収納部４１へ誤挿入する危険は防止できても、引き出し時の誤操作を防止できないからである。つまり、インタロックがオンで、開閉器１０１の電極が閉じていても、開閉器１０１を引き出そうとすると、切り欠き部が直接収納部の縁、或いは開閉器収納部４１のロック受け２５に衝突し、ばね１８を縮めてロック棒が上がってしまう場合があるからである。ロック棒１７の切り欠き部１７１の左右に垂直部分を残すことで、開閉器１０１が衝突しても、その力でロック棒１７が上方に押し上げられることはない。
【００１３】
このような構成によれば、開閉器１０１を閉極した状態で横方向に開口部３０に挿入しようとすると、図６のようにロック棒１７と開口部３０とが干渉し、開閉器収納部４１への挿入が物理的に阻止される。また、開閉器１０１が開極しているときには、図７のように、ロック棒１７が開口部３０の縁よりも高い位置までロックアーム１１３によって押し上げられるので、縁に干渉することなく、開閉器１０１を開閉装置の開閉器収納部４１に挿入することが出来る。
また、図５のロック部１４がこの実施の形態ではロック部１１４に相当するので、実施の形態１と同様に、開閉器１０１が開閉器収納部４１へ挿入された後、閉極した時にロック棒１７を受けるロック受け２５を設けることによって誤引き出しを防止する効果を得られる。
以上のように実施の形態２の開閉装置のインタロック機構も、実施の形態１の開閉装置３１のインタロック機構と同様の効果を奏する。
【００１４】
実施の形態３．
図１０及び図１１に基づいてこの発明の実施の形態３に係る開閉器２０１およびこれを収納して構成される開閉装置２３１を以下に説明する。
図１０は開閉装置２３１の側断面図である。開閉装置２３１は、図に示す装置全体を収納するケース４０と、各開閉器２０１を収納する開閉器収納部２４１と、開閉装置２３１の外部から導入され、各開閉器２０１に接続される母線３２と、各開閉器２０１に接続される負荷側導線３３とで構成される。
開閉器収納部２４１はケース４０内に縦方向に並べて設けてあり、開閉器２０１をケース４０の前面から開閉器収納部２４１の開口部３０を通して挿入、引き出しできる構造となっているが、各開閉器２０１を横方向に並べる構造でも良い。
図１１は実施の形態３による開閉器２０１および開閉器収納部２４１の開口部近傍の断面図である。同図では、開閉器２０１は電流遮断部４から開閉操作機構５までの全体が縦向きで開閉装置２３１へ挿入される。開閉器２０１を構成する部品は、実施の形態１および２の場合と基本的に同じである。
Ｌ型ロックアーム２１３は、開閉操作機構５の動作から独立して絶縁フレーム８に固定された金具１６の支持軸１５によって●印で示した点を支持されている。実施の形態１では連結部品１２とロックアーム１３は独立した部品であって連結して使用していたが、この実施の形態ではＬ型の１つの部品としている。Ｌ型ロックアーム２１３には支持軸１５を中心として摺動しながら回動できるよう、図示しないが●印近傍長手方向に細長い穴を開けてある。
この穴は開閉操作機構５の端部が左右に直線運動できるよう「遊び」を確保するためのものである。この「遊び」は開閉操作機構５とＬ型ロックアーム２１３の接続点の○部分に設けても良い。
図１１では、開閉器２０１は閉極状態であるため、Ｌ型ロックアーム２１３のロック部２１４は図の下方向（挿入・引き出し方向に略直交する方向）へ下がっている。
一方、図１２は開閉器２０１が開極した状態を示す。開閉操作機構５の開閉動作にともなって、Ｌ型ロックアーム２１３が支持軸１５を中心に回動し、ロック部２１４は図のように上方に上がっている。
【００１５】
このような構成によれば、開閉器２０１を、電極が閉じた状態で縦向きにして開口部３０を経由して開閉器収納部２４１に挿入しようとすると、図１１のようにロック部２１４と開口部３０の縁とが干渉し、開閉装置２３１への挿入を物理的に阻止できる。また、開閉器２０１が開極しているときには、図１２のように開閉装置２３１の開口部３０の縁にＬ型ロックアーム２１３のロック部２１４が干渉することなく、開閉器２０１を挿入することができる。
また、開閉器２０１が開閉器収納部２４１へ挿入された後、閉極した時にＬ型ロックアーム２１３のロック部２１４と干渉するロック受け３６を設けることによって誤引き出しを防止できる。
また、機械的インタロック機構のロック部２１４が挿入方向に対し直交する方向に突出するという簡潔な構造とすることで、開閉器２０１自体を開閉装置２３１の高さ方向にも奥行方向にも収納することができ、設置環境の自由度が高いインタロック付きの開閉装置２３１を安価に提供できる。
以上のように、本実施の形態においても実施の形態１及び２と同様の効果を得られる。
さらに、Ｌ型ロックアーム２１３は１つの部品であるので、実施の形態１及び２より部品数を削減できる効果がある。
【００１６】
実施の形態４．
図１３は本発明の実施の形態４による開閉器１および開閉器収納部３４１の開口部近傍を示す断面図である。開閉器１の機械的インタロック機構の構造は実施の形態１と同じである。本実施の形態では開閉器収納部３４１側に特徴を持たせている。開閉器収納部３４１内にロックガイド３９を設けてある。このロックガイド３９は平板でもＵ型の溝でもよく、開閉器収納部に所定の長さ延在するように設けられている。
図１３において、開閉器１を挿入中、又は引き出し中には、ロック部１４はロックガイド３９が真下にあるので挿入方向と直交する方向に突出しない。ロック部１４が挿入方向と直交する方向に突出しない限り連動する開閉器１の電極は閉じない。
従って、上記所定の長さを適切に設定すれば開閉器１を開閉器収納部３４１へ完全に収納するまでは誤操作による電極の閉極は起こらないことになる。すなわち、完全に挿入もしくは引き出しした場所でのみロック部１４が突出できるようにロックガイド３９を配置するだけでよい。
なお、このようなロックガイドは実施の形態３の開閉器２０１にも適用できる。
【００１７】
以上のようにこの実施の形態では、実施の形態１の効果に加えて、開閉器１の挿入・引き出しの全過程に渡って開閉器１の電極が開いた状態を保持できる。
したがって、実施の形態１以上に作業の安全性を確保できるという効果がある。
【００１８】
実施の形態５．
図１４は本発明の実施の形態５による開閉器３０１の側断面図（左）及び正面図（右）である。同図では、機械的インタロック機構は、実施の形態１と同様に構成されている。開閉器３０１を周囲と絶縁する絶縁フレーム１０８はＵ字構造をなしている。
このような構成によれば、Ｕ字側面が絶縁バリヤの役目をなすため、負荷側導体３からロックアーム１３を介した操作機構５もしくは連結部品１２への電気的な絶縁性能が向上する。
さらに、絶縁フレーム１０８をＵ字構造とすることで、横方向に隣接する開閉器１０８同士の離隔距離を短縮することができる。
また、フレーム構造がＵ字になるため、絶縁フレーム１０８の強度向上にも貢献する。  このＵ字型の絶縁フレーム１０８は他の全ての実施の形態でも利用できる。
【００１９】
実施の形態６．
図１５は本発明の実施の形態６による開閉器４０１である。同図では、機械的インタロック機構を構成する部品は図示していないが、実施の形態１乃至３のいずれかの一つと同様に構成されている。同図おいて、開閉器４０１は横向きで開閉器収納部へ挿入および引出しされることになる。そこで、母線側導体２および負荷側導体３は挿入方向、つまり図面の右方向へ曲げた形状をなしており、その先端に接触子３７が取り付けられている。
このような構成によれば、接触子３７を開閉器４０１とともに引出すことができるため、開閉器４０１の点検時に合わせて保守・点検が可能となる。
図１６も本発明の実施の形態６による開閉器１である。同図でも、機械的インタロック機構を構成する部品は図示していないが、実施の形態１乃至３のいずれかの一つと同様に構成されている。同図おいて、開閉器１は縦向きで開閉装置へ挿入および引出しされることになる。同図の母線側導体２および負荷側導体３の先端に接触子２７が取り付けられている。
なお、接触子２７は他の全ての実施の形態でも利用できる。
【図面の簡単な説明】
【００２０】
【図１】本発明の実施の形態１の開閉装置の側断面図である。
【図２】本発明の実施の形態１の開閉器ののうち機械的インタロック機構を除く部分の側断面図および正面図である。
【図３】本発明の実施の形態１の開閉装置のうち閉極状態の開閉器と、開閉器収納部の開口部近傍とを示す側断面図である。
【図４】本発明の実施の形態１の開閉装置のうち開極状態の開閉器と、開閉器収納部の開口部近傍とを示す側断面図である。
【図５】本発明の実施の形態１の開閉装置のうち開閉器を開閉器収納部へ挿入後、閉極した状態を示す側断面図である。
【図６】本発明の実施の形態２の開閉装置のうち閉極状態の開閉器と、開閉器収納部の開口部近傍とを示す側断面図である。
【図７】本発明の実施の形態２の開閉装置のうち開極状態の開閉器と、開閉器収納部の開口部近傍とを示す側断面図である。
【図８】本発明の実施の形態２のロック棒の斜視図及び側断面図である。
【図９】金具１６の斜視図である。
【図１０】本発明の実施の形態３の開閉装置の側断面図である。
【図１１】本発明の実施の形態３の開閉装置のうち閉極状態の開閉器と、開閉器収納部の開口部近傍とを示す側断面図である。
【図１２】本発明の実施の形態３の開閉装置のうち開極状態の開閉器と、開閉器収納部の開口部近傍とを示す側断面図である。
【図１３】本発明の実施の形態４の開閉装置のうち開極状態の開閉器と、開閉器収納部の開口部近傍とを示す側断面図である。
【図１４】本発明の実施の形態５の開閉装置を構成する開閉器の側断面図と横断面図である。
【図１５】本発明の実施の形態６の開閉装置を構成する横向きの開閉器を示す側断面図である。
【図１６】本発明の実施の形態６の開閉装置を構成する縦向きの開閉器を示す側断面図である。
【符号の説明】
【００２１】
１，１０１，２０１，３０１  開閉器、２  母線側導体、３  負荷側導体、
４  電流遮断部、５  開閉操作機構、６  絶縁ロッド、７  ばね、８  絶縁フレーム、
９  可動側導体、１０  金具、１１  Ｌ字フレーム、１２，１１２  連結部品、
１３，１１３  ロックアーム、２１３  Ｌ型ロックアーム、
１４，１１４，２１４  ロック部、１４１，１４２，１４３  関節部、
１４４，１４５  ロッド、１５  支持軸、１６  金具、１７  ロック棒、
１７１  切り欠き部、１８  ばね、２０  金具、２５，３６  ロック受け、
２７，３７  接触子、３０  開口部、３１，１３１  開閉装置、３２  母線、
３３  負荷側導線、３４，３６  ロック受け、３９  ロックガイド。４０  ケース、
４１，２４１  開閉器収納部、４５  シャフト、４６  穴。
【図１】
2010021092.tif 000003
【図２】
2010021092.tif 000004
【図３】
2010021092.tif 000005
【図４】
2010021092.tif 000006
【図５】
2010021092.tif 000007
【図６】
2010021092.tif 000008
【図７】
2010021092.tif 000009
【図８】
2010021092.tif 000010
【図９】
2010021092.tif 000011
【図１０】
2010021092.tif 000012
【図１１】
2010021092.tif 000013
【図１２】
2010021092.tif 000014
【図１３】
2010021092.tif 000015
【図１４】
2010021092.tif 000016
【図１５】
2010021092.tif 000017
【図１６】
2010021092.tif 000018